(57)【要約】【課題】調節可能グレースケール回路を有するディスプレイを提供する。【解決手段】本装置は、ピクセルデータを受け取り、かつ第１の組の参照電圧に基づいて第１の組のグレースケール電圧を生成してピクセル回路を駆動して、上記ピクセルデータに基づいて第１の周期にそれぞれ異なるグレースケールレベルを表示し、第２の異なる組の参照電圧に基づいて第２の組のグレースケール電圧を生成してピクセル回路を駆動して、第２の周期に共通グレースケールレベルを表示する回路を備える。例えば、共通グレースケールレベルは黒レベルであってもよい。【選択図】        図３
2006154814.tif 000002
【特許請求の範囲】
【請求項１】
ピクセルデータを受け取り、かつ
第１の組の参照電圧に基づいて第１の組のグレースケール電圧を生成してピクセル回路を駆動して、上記ピクセルデータに基づいて第１の周期にそれぞれ異なるグレースケールレベルを表示し、
第２の異なる組の参照電圧に基づいて第２の組のグレースケール電圧を生成してピクセル回路を駆動して、第２の周期に共通グレースケールレベルを表示する
回路を備える装置。
【請求項２】
前記共通グレースケールレベルは黒レベルを含む、請求項１に記載の装置。
【請求項３】
前記回路は、前記第１および第２の組のグレースケール電圧を用いてデータ線を駆動する１つまたは複数のデータドライバを備え、前記データ線は前記ピクセル回路に接続される、請求項１に記載の装置。
【請求項４】
前記回路は前記第１の周期と前記第２の周期を切り換えられるスイッチに接続された分圧器を備える、請求項１に記載の装置。
【請求項５】
前記分圧器は、直列に接続された抵抗要素を含む、請求項４に記載の装置。
【請求項６】
前記スイッチをオンにすると、前記分圧器は第１の入力電圧を提供する第１のノードと第２の入力電圧を提供する第２のノードの間に電気的経路を実現し、前記分圧器は前記第１の入力電圧と前記第２の入力電圧の電圧差を分圧して第１の組の参照電圧を生成する、請求項４に記載の装置。
【請求項７】
ディスプレイに上記回路を含む、液晶ディスプレイ、プラズマディスプレイ、有機発光ダイオードディスプレイ、電界発光ディスプレイ、および表面伝導電子発光体ディスプレイのうちの少なくとも１つを備える、請求項１に記載の装置。
【請求項８】
参照電圧を生成する回路を供え、前記回路は、
第１の状態においては、使用するグレースケール電圧を生成してピクセル回路を駆動し、それぞれ異なるグレースケールレベルを表示し、
第２の状態においては、グレースケール電圧をピクセル回路を駆動し、共通グレースケールレベルを表示し、
前記回路は、前記グレースケール電圧を用いて、前記ピクセル回路に接続されたデータ線を駆動する１つまたは複数のデータドライバを備える、装置。
【請求項９】
前記共通グレースケールレベルは黒レベルを含む、請求項８に記載の装置。
【請求項１０】
前記回路は、電圧供給が前記データドライバになされた後、かつ前記データドライバがホスト装置から送られたデータ信号を受け取る前の周期の間は前記第２の状態で動作する、請求項８に記載の装置。
【請求項１１】
前記回路が前記第１の状態で動作するときは、前記データドライバはホスト装置からのデータ信号に基づいて各ピクセル回路に対してグレースケール電圧を出力して、前記ピクセル回路に前記異なるグレースケールの個々のレベルのうちの１つを表示させる、請求項８に記載の装置。
【請求項１２】
前記回路はスイッチに接続された分圧器を備え、前記スイッチは前記分圧器を通って電流が流れるか否かを制御し、前記分圧器を通って電流が流れるか否かによって前記回路により生成される前記参照電圧が影響を受ける、請求項８に記載の装置。
【請求項１３】
ピクセルに関連する、受け取られたピクセルデータに基づいて１組のアナロググレースケール電圧から選択されたアナロググレースケール電圧を用いてピクセルをグレースケールレベルに駆動し、かつ異なる周期の間にアナログ電圧をそこから選択することが可能な異なるグレースケール電圧の数を変更する回路を備え、
ある周期の間、前記アナロググレースケール電圧は、前記データドライバがピクセルを駆動してデジタルピクセルデータに無関係に共通グレースケールを表示するような値を有する、装置。
【請求項１４】
前記ある周期は、電圧供給が前記データドライバになされた後、かつ前記データドライバがホスト装置からのデータ信号を受け取る前の周期を含む、請求項１３に記載の装置。
【請求項１５】
ある周期の間、前記アナロググレースケール電圧の組は全て共通の値を有する、請求項１３に記載の装置。
【請求項１６】
ピクセル回路のアレイ；
制御可能参照電圧生成器であって、第１の周期の間に第１の組の参照電圧を、第２の周期の間に第２の組の参照電圧を生成し、第１の周期と第２の周期で切り換えられるスイッチに接続された分圧器を備え、前記分圧器は第１の周期の間に参照電圧を分圧して第１の組の参照電圧を生成する、前記制御可能参照電圧生成器；および
１つまたは複数のデータドライバを備えてホスト装置からピクセルデータを受け取り、かつ
前記第１の組の参照電圧に基づいて前記第１の組のグレースケール電圧を生成して前記ピクセル回路を駆動し、前記ピクセルデータに従って前記第１の周期の間にそれぞれ異なるグレースケールレベルを表示し、そして
前記第２の組のグレースケール電圧を前記第２の組の参照電圧に基づいて生成して前記ピクセル回路を駆動し、前記第２の周期の間に共通グレースケールレベルを表示する、ディスプレイ。
【請求項１７】
さもないとピクセルに異なるグレースケールレベルを表示させるピクセルデータが受け取られているときに、ディスプレイのピクセルに、共通グレースケールレベルを表示させることを含む、方法。
【請求項１８】
前記ディスプレイの１つまたは複数のデータドライバにより使用される参照電圧を制御して前記ピクセルによって表示するグレースケールを制御するグレースケール電圧を生成することを含み、
前記制御は、
第１の周期の間に、参照電圧を１つまたは複数の値に設定してピクセルに、ホスト装置から１つまたは複数のデータドライバに送られたピクセルデータとは独立に、共通グレースケールレベルを表示させること、および
第２の周期の間に、参照電圧を別個の値に設定してピクセルにホスト装置から１つまたは複数のデータドライバに送られたピクセルデータに基づいてグレースケールの異なるレベルを表示させることをさらに含む、請求項１７に記載の方法。
【請求項１９】
前記参照電圧の組を制御することは、スイッチを制御して電流が、第１の入力電圧と第２の入力電圧の間の電圧差を分圧して参照電圧生成する分圧器を通って、流れるか否かを決定することを含む、請求項１７に記載の方法。
【請求項２０】
ディスプレイのピクセル回路を駆動するのに用いられるグレースケール電圧を制御することにより前記ディスプレイに均一なグレースケールレベルを有するイメージを生成することを含み、前記グレースケール電圧の制御はホスト装置からディスプレイに送られるピクセルデータとは独立している、方法。
【請求項２１】
信号線にグレースケール電圧を印可し；
ディスプレイの各ピクセルに対して、前記信号線の１つを選択し、前記選択された信号線のグレースケール電圧を用いてピクセルに対してグレースケールレベルを決定し；
第１の周期の間に、信号線に印可されたグレースケール電圧を制御してピクセルに共通グレースケール電圧を表示させ；かつ
第２の周期の間に、信号線に印可されたグレースケール電圧を制御してピクセルに異なるグレースケールレベルを表示させることを含む、方法。
【請求項２２】
前記グレースケール電圧を制御することは１つまたは複数のスイッチを制御して前記グレースケール電圧の値に影響を与えることを含む、請求項２１に記載の方法。
【請求項２３】
さらに、分圧器を用いて前記信号線に印加される前記グレースケール電圧を生成することを含む、請求項２１に記載の方法。
【請求項２４】
前記信号線の一つを選択することは、前記信号線の一つをホスト装置から送られたピクセルデータに基づいて選択することを含む、請求項２１に記載の方法。
【請求項２５】
ディスプレイの１つまたは複数のデジタル−アナログ装置により用いられる参照電圧を制御して前記ディスプレイのピクセルにより示されるグレースケールレベルを決定するためのアナロググレースケール電圧を生成することにより、ある周期の間に、ディスプレイに黒イメージを生成することを含む、方法。
【発明の詳細な説明】
【技術分野】
【０００１】
関連出願
本出願は、２００４年１１月２４日出願の台湾専利出願第９３１３６２０５号の優先権を主張し、その内容は引用により本出願に導入される。
【０００２】
本発明は調節可能グレースケール回路を有するディスプレイに関する。
【背景技術】
【０００３】
図１を参照すると、いくつかの実施形態では、液晶ディスプレイ１０はピクセル回路１４のアレイ１２を備え、これらピクセル回路１４は１つ以上のゲートドライバ１６と１つ以上のデータドライバ１８により調節可能である。各ピクセル回路１４は１つ以上の薄膜トランジスタ（ＴＦＴ）２０、蓄積キャパシタＣST２２、および（図示しない）液晶を備える。液晶セルはＣLC２５により表される、有効キャパシタンスを有する。キャパシタＣST２２およびＣLC２５は第１のノード２１および第２のノード２３に接続される。いくつかの例では、第１のノード２１はトランジスタ２０に接続され、第２のノード２３は参照電圧Ｖｃｏｍに接続される。ＴＦＴ２０はゲート２４を備え、ゲート２４はゲート線２６に接続される。ゲート線２６はゲートドライバ１６に接続される。ゲートドライバ１６がゲート線２６を駆動してＴＦＴ２０をオンにすると、データドライバ１８は、同時に、データ線２８を電圧信号で駆動する。この電圧信号はキャパシタＣST２２およびＣLC２５を通過する。
【０００４】
第１のノード２１および第２のノード２３は、液晶セルの２つの側に配置された２つの（図示しない）透明電極にそれぞれ接続される。キャパシタＣST２２およびＣLC２５により保持される電圧によって液晶セルに印加される電圧が決まり、これにより液晶セル内の液晶分子の配向の変化量が制御され、また、液晶セルを通過することができる光の量が決まる。データ線２８の電圧は場合によって「グレースケール電圧」と呼ばれるが、それは、この電圧によりピクセル回路１４により示されるグレースケールレベルが決まるからである。
【０００５】
ディスプレイ１０の各ピクセルは、赤色、緑色および黄色を表示する３つのサブピクセルを含む。各サブピクセルはピクセル回路１４を備える。これら３つのサブピクセルのグレースケールレベルを制御することにより、各ピクセルは広範囲の色とグレースケールレベルを表示することが可能である。
【０００６】
液晶セルに印加される電圧と液晶セルの透過率の関係は非線形であることが可能である。図２は、蓄積キャパシタ２２の第１のノード２１に印加された（データ線２８で受けた）グレースケール電圧Ｖと液晶セルの透過率の関係を表す曲線１５０を示すグラフである。この曲線１５０はＶ＝Ｖｃｏｍ（この電圧はキャパシタ２２の第２のノード２３に印加された参照電圧である）に関してほぼ対称である。グレースケール電圧がＶｃｏｍ（キャパシタの両端でゼロ電圧差）に等しい場合、高透過率が得られる。グレースケール電圧がＶｒｅｆ１より高いか、Ｖｒｅｆ２より低い場合は、透過率はゼロに近い。Ｖｒｅｆ１−ＶｃｏｍはＶｃｏｍ−Ｖｒｅｆ２にほぼ等しい。液晶セルの透過率は液晶セルに印加された絶対電圧差により影響され、電圧差の極性（正の極性は上部電極の電圧が下部電極の電圧よりも大きいことをいい、負の極性は上部電極の電圧が下部電極の電圧よりも小さいことをいう）によらない。いくつかの例では、液晶セルに印加される電圧は極性が交代（すなわち、データ線２８の電圧がＶｃｏｍ＋ΔＶとＶｃｏｍ−ΔＶの間で交代）して液晶セルにかかるストレスを低減する。
【０００７】
データドライバ１８（図１）はディスプレイコントローラ３０からピクセルデータを受取り、ディスプレイコントローラ３０は（図示しない）ホスト装置、例えばホストコンピュータからイメージまたはビデオ信号を受け取る。ディスプレイ１０が最初に電源投入されると、ピクセル回路１４のＴＦＴ２０からの漏れ電流のせいで、ディスプレイコントローラ３０からのピクセルデータを受け取る前にデータドライバ１８がピクセル回路１４を駆動してしまうことがある。電力を最初にデータドライバ１８に供給すると、データドライバ１８の初期状態はデータドライバ１８毎に異なることがある。その理由は、データドライバ１８はディスプレイ１０をオフにする前に表示されていた前のイメージフレームに関連する残存電圧を有することがあるからである。ディスプレイのバックライトモジュールをオンにしない場合でさえも、ディスプレイから周辺光が反射されることがあり、そのためデータドライバ１８が残存電圧を用いてピクセル回路１４を駆動して、ディスプレイ１０はディスプレイコントローラ３０が初期化される前に短時間垂直のグレーストライプを示すことが起き得る。
【発明の開示】
【発明が解決しようとする課題】
【０００８】
一態様において、一般に、本発明の装置は、ピクセルデータを受取り、かつ第１の組の参照電圧に基づいて第１の組のグレースケール電圧を生成してピクセル回路を駆動して、上記ピクセルデータに基づいて第１の周期にそれぞれ異なるグレースケールレベルを表示するとともに、第２の異なる組の参照電圧に基づいて第２の組のグレースケール電圧を生成してピクセル回路を駆動して、第２の周期に共通グレースケールレベルを表示する回路を備える。
【０００９】
本装置の実装は下記の特徴の１つまたは複数を備えていてもよい。上記回路は第１および第２の組のグレースケール電圧を用いてデータ線を駆動する１つまたは複数のデータドライバを備え、これらデータ線はピクセル回路に接続される。上記回路は第１の周期と第２の周期を切り換えられるスイッチに接続された分圧器を備える。分圧器は直列に接続された抵抗要素を含む。スイッチをオンにすると、分圧器は第１の入力電圧を提供する第１のノードと第２の入力電圧を提供する第２のノードの間に電気的経路を実現し、分圧器は第１の入力電圧と第２の入力電圧の電圧差を分圧して第１の組の参照電圧を生成する。いくつかの例では、第１の入力電圧は第２の入力電圧よりも高く、スイッチは第１のノードと分圧器の間に、スイッチをオフにすると分圧器が第１の入力電圧に等しい参照電圧を出力するように、接続される。いくつかの例では、第１の入力電圧は第２の入力電圧よりも高く、スイッチは第２のノードと分圧器の間に、スイッチをオフにすると分圧器が第２の入力電圧に等しい参照電圧を出力するように、接続される。いくつかの例では、スイッチは、分圧器の第１の部分と第２の部分の間に、スイッチをオフにすると分圧器の第１の部分は第１の入力電圧に等しい参照電圧を出力し、かつ分圧器の第２の部分は第２の入力電圧に等しい参照電圧を出力するように、接続される。第２の入力電圧は接地電圧を含む。共通グレースケールレベルは黒レベルを含む。上記回路は第１のスイッチと第２のスイッチの間に接続され、第１のスイッチおよび第２のスイッチの一方は第１の周期内にオンにされ、かつ第１のスイッチおよび第２のスイッチの双方が第２の周期内にオフにされる。第１のスイッチがオンにされ、第２のスイッチがオフにされると、分圧器は第１の電圧差を分圧して第１の組の値を有する第１の組の参照電圧を生成し、そして第１のスイッチがオフにされ、第２のスイッチがオンにされると、分圧器は第２の電圧差を分圧して第２の組の値を有する第２の組の参照電圧を生成する。上記回路は各ピクセル回路に対してピクセルデータを受け取り、このピクセルデータに基づいて参照電圧の一つを選択し、そして選択された参照電圧を用いてピクセル回路を駆動する。本装置は、ディスプレイに上記回路を含む、液晶ディスプレイ、プラズマディスプレイ、有機発光ダイオードディスプレイ、電界発光ディスプレイ、および表面伝導電子発光体ディスプレイのうちの少なくとも１つを備える。
【００１０】
他の態様では、一般に、本装置は参照電圧を生成する回路を供え、この回路は、第１の状態においては、使用するグレースケール電圧を生成してピクセル回路を駆動し、それぞれ異なるグレースケールレベルを表示し、第２の状態においては、グレースケール電圧を生成し、ピクセル回路を駆動して、共通グレースケールレベルを表示する。
【００１１】
本装置の実装は下記の特徴の１つまたは複数を備えていてもよい。上記回路は第１および第２の組のグレースケール電圧を用いて、ピクセル回路に接続されたデータ線を駆動する１つまたは複数のデータドライバを備えていてもよい。上記回路は、電圧供給がデータドライバになされた後、かつデータドライバがホスト装置から送られたデータ信号を受け取る前の周期の間は第２の状態で動作する。上記回路が第１の状態で動作するときは、データドライバはホスト装置からのデータ信号に基づいて各ピクセル回路に対してグレースケール電圧を出力してピクセル回路にグレースケールの個々のレベルのうちの１つを表示させる。上記回路はスイッチに接続された分圧器を備え、このスイッチは分圧器を通って電流が流れるか否かを制御する。この場合、分圧器を通って電流が流れるか否かによって上記回路により生成される参照電圧が影響を受ける。
【００１２】
他の態様では、一般に、本装置は、（ａ）ピクセルに関連する、受け取られたピクセルデータに基づいて１組のアナロググレースケール電圧から選択されたアナロググレースケール電圧を用いてピクセルをグレースケールレベルに駆動し、かつ（ｂ）異なる周期の間にアナログ電圧をそこから選択することが可能な異なるグレースケール電圧の数を変更する回路を備える。
【００１３】
本装置の実装は下記の特徴の１つまたは複数を備えていてもよい。ある周期の間、アナロググレースケール電圧は、データドライバがピクセルを駆動してデジタルピクセルデータに無関係に共通グレースケールを表示するような値を有する。この共通グレースケールレベルは黒レベルを含む。上記ある周期は、電圧供給がデータドライバになされた後、かつデータドライバがホスト装置からのデータ信号を受け取る前の周期を含む。ある周期の間、上記アナロググレースケール電圧の組は全て共通の値を有する。ある周期の間、上記アナロググレースケール電圧の組は２つの共通の値を有する。
【００１４】
他の態様では、一般に、本装置は、ピクセル回路のアレイと制御可能参照電圧生成器を備え、第１の周期の間に第１の組の参照電圧を、第２の周期の間に第２の組の参照電圧を生成する。制御可能参照電圧生成器は第１の周期と第２の周期で切り換えられるスイッチに接続された分圧器を備え、この分圧器は第１の周期の間に参照電圧を分圧して第１の組の参照電圧を生成する。上記ディスプレイは１つまたは複数のデータドライバを備えてホスト装置からピクセルデータを受け取り、かつ第１の組の参照電圧に基づいて第１の組のグレースケール電圧を生成して上記ピクセル回路を駆動し、ピクセルデータに従って第１の周期の間にそれぞれ異なるグレースケールレベルを表示し、そして第２のセットのグレースケール電圧を第２の組の参照電圧に基づいて生成してピクセル回路を駆動し、第２の周期の間に共通グレースケールレベルを表示する。
【００１５】
本装置の実装は下記の特徴の１つまたは複数を備えていてもよい。この共通グレースケールレベルは黒レベルを含む。上記ピクセル回路は液晶ディスプレイ、プラズマディスプレイ、有機発光ダイオードディスプレイ、電界発光ディスプレイ、および表面伝導電子発光体ディスプレイのうちの少なくとも１つを備える。
【００１６】
他の態様では、一般に、本方法は、さもないとピクセルに異なるグレースケールレベルを表示させるピクセルデータが受け取られているときに、ディスプレイのピクセルに、共通グレースケールレベルを表示させることを含む。
【００１７】
本方法の実施は下記の特徴の１つまたは複数を備えていてもよい。本方法は、ディスプレイの１つまたは複数のデータドライバにより使用される参照電圧を制御してピクセルによって表示するグレースケールを制御するグレースケール電圧を生成することを含み、上記制御は、第１の周期の間に、参照電圧を１つまたは複数の値に設定してピクセルに、ホスト装置から１つまたは複数のデータドライバに送られたピクセルデータとは独立に、共通グレースケールレベルを表示させることを含む。参照電圧を１つまたは複数の値に設定することは、参照電圧を接地参照電圧よりも高い共通の値に設定することを含む。参照電圧を１つまたは複数の値に設定することは、参照電圧を接地参照電圧よりも低い共通の値に設定することを含む。参照電圧を１つまたは複数の値に設定することは、参照電圧を、一方が接地参照電圧よりも高く、他方が接地参照電圧よりも低い２つの共通の値に設定することを含む。本方法は、第２の周期の間に、参照電圧を別個の値に設定してピクセルにホスト装置から１つまたは複数のデータドライバに送られたピクセルデータに基づいてグレースケールの異なるレベルを表示させることを含む。本方法は、第２の周期の間に、第１の入力電圧と第２の入力電圧の間の電圧差を分圧して参照電圧生成することを含む。いくつかの例では、本方法は、第１の周期の間に、参照電圧を第２の入力電圧より高い第１の入力電圧と等しく設定することを含む。いくつかの例では、本方法は、第１の周期の間に、参照電圧を第１の入力電圧より低い第２の入力電圧と等しく設定する。いくつかの例では、本方法は、第１の周期の間に、参照電圧のいくつかを第１の入力電圧に等しく、他の参照電圧を第２の入力電圧に等しく設定することを含む。本方法は、参照電圧の組を１つまたは複数の特定の値に設定してピクセルに黒イメージを表示させることを含む。参照電圧を制御することは、スイッチを制御して電流が分圧器を通って流れるか否かを決定することを含む。スイッチを制御することは、第１の周期の間にスイッチをオフにして電流が分圧器を通って流れないようにすることを含む。本方法は第１の入力電圧と第２の入力電圧の電圧差を分圧して参照電圧を生成することを含む。
【００１８】
他の態様では、一般に、本方法は、ディスプレイのピクセル回路を駆動するのに用いられるグレースケール電圧を制御することによりディスプレイに均一なグレースケールレベルを有するイメージを生成することを含む。この場合、グレースケール電圧の制御はホスト装置からディスプレイに送られるピクセルデータとは独立している。
【００１９】
本方法の実施は下記の特徴を備えていてもよい。すなわち、イメージは黒イメージを含む。
【００２０】
他の態様では、一般に、本方法は、信号線にグレースケール電圧を印可し；ディスプレイの各ピクセルに対して、信号線の１つを選択し、選択された信号線のグレースケール電圧を用いてピクセルに対してグレースケールレベルを決定し；そして第１の周期の間に、信号線に印可されたグレースケール電圧を制御してピクセルに共通グレースケール電圧を表示させることを含む。
【００２１】
本方法の実施は下記の特徴の１つまたは複数を備えていてもよい。すなわち、イメージは黒イメージを含む。グレースケール電圧を制御することは１つまたは複数のスイッチを制御してグレースケール電圧の値に影響を与えることを含む。本方法は、分圧器を用いて信号線に印可されるグレースケール電圧を生成することを含む。グレースケール電圧を制御することは、１つまたは複数のスイッチを制御して分圧器を入力電圧に対して接続または切断することを含む。１つまたは複数のスイッチを制御することは、分圧器を第１の入力電圧に接続し、かつ分圧器を第２の入力電圧から切断して分圧器の出力が第１の入力電圧に等しくすることを含む。本方法は、第２の周期の間に、信号線に印可されたグレースケール電圧を制御してピクセルに異なるグレースケールレベルを表示させることを含む。信号線の１つを選択することはホスト装置から送られたピクセルデータに基づいて信号線の１つを選択することを含む。
【００２２】
他の態様では、一般に、本方法は、ディスプレイの１つまたは複数のデジタル−アナログ装置により用いられる参照電圧を制御してディスプレイのピクセルにより示されるグレースケールレベルを決定するためのアナロググレースケール電圧を生成することにより、ある周期の間に、ディスプレイに黒イメージを生成することを含む。
【００２３】
本方法の実施は下記の特徴の１つまたは複数を備えていてもよい。すなわち、上記ある周期は、電圧供給がデータドライバになされた後、かつデータドライバがホスト装置からのデータ信号を受け取る前の周期を含む。黒イメージを生成することは、電圧供給がデータドライバになされた後、かつデータドライバがホスト装置からのデータ信号を受け取る前の周期の間に黒イメージを生成することを含む。
【００２４】
上述の回路を用いて共通のグレースケールイメージまたは黒イメージを生成する利点は、ホスト装置（例えば、ホストコンピュータ）は共通グレースケールイメージまたは黒イメージを生成するために余分の信号を送る必要がないことである。共通グレースケールイメージまたは黒イメージは回路の１つまたは複数のスイッチを単にオンまたはオフにすることにより生成することができる。
【発明を実施するための最良の形態】
【００２５】
グレースケール電圧を生成するのに用いられる参照電圧を制御することにより、データドライバ１８を制御して１つまたは複数のグレースケール電圧をピクセルデータの値とは無関係に制御することが可能である。これにより、ディスプレイ１０は全てのピクセルにおいて黒イメージのような共通のグレースケールを示す。黒イメージは通常のイメージフレームの間に示すことで動画におけるぶれを低減することが可能であり、あるいはコントローラ３０が初期化される前に示すことで、ディスプレイ１０が最初に電源投入されたときに、ディスプレイ１０が均一な黒イメージを示すようにすることが可能である。
【００２６】
図３を参照すると、一つの実施例では、データドライバ１８はバッファ９８とデジタル−アナログコンバータ１００を備える。バッファ９８はシリアルデジタルピクセルデータ１０２をディスプレイコントローラ３０から受け取り、このシリアルデジタルピクセルデータ１０２をパラレルデータ１０３に変換する。デジタル−アナログコンバータ１００はパラレルデータ１０３を受取り、データ線２８を駆動するのに用いられるアナロググレースケール電圧１０４を出力する。デジタル−アナログコンバータ１００もガンマ電圧Ｖγ１〜Ｖγ１０と呼ばれる参照電圧をガンマ回路１０６から受取り、ガンマ回路１０６では、ガンマ電圧を用いてデジタルピクセルデータ１０２とアナロググレースケール電圧１０４の間の対応付け（マッピング）が決定される。
【００２７】
図４を参照すると、いくつかの実施例では、ガンマ回路１０６は分圧器１０８とスイッチ１１０を備える。分圧器１０８の一端１３９は入力電圧Ｖｒｅｆを受け取るノード１４０に接続され、分圧器１０８の他端１４２はスイッチ１１０に接続される。いくつかの実施例では、スイッチ１１０は、ノード１４２に接続されたドレーン１１２と、接地されたソース１１４と、リセット信号１４８により制御されるゲート１１６を有するＮ型ＭＯＳＦＥＴトランジスタ１４４である。
【００２８】
分圧器１０８は直列に接続された抵抗器Ｒ１〜Ｒ１２を有するレジスタラダーを備える。リセット信号１４８が高（ハイ）であるとき、トランジスタ１４４はオンになり、分圧器１０８とスイッチ１０を介してノード１４０から接地に電流経路がもたらされる。分圧器１０８は入力電圧Ｖｒｅｆを分圧して、抵抗器の比率に基づいて決定される１０個の異なる値を持つ１０個のガンマ電圧Ｖγ１〜Ｖγ１０を生成する。リセット信号が低（ロウ）であるとき、トランジスタ１４４はオフになり、ドレーン１１２を「フロート」にする。分圧器１０８は入力電圧Ｖｒｅｆに接続されているので、ドレーン１１２は高に引き上げられ、ガンマ電圧Ｖγ１〜Ｖγ１０はすべてＶｒｅｆに等しくなる。従って、リセット信号１４８を用いてスイッチ１１０を制御し、Ｖｒｅｆ電圧を分圧器の他端に印加することにより、ガンマ電圧を制御して１０個の別個の値または唯一の共通の値を得るようにすることが可能である。
【００２９】
図５を参照すると、デジタル−アナログコンバータ１００はレジスタラダーを有するもう一つの分圧器を備え、ガンマ電圧Ｖγ１〜Ｖγ１０をさらに分圧してグレースケール電圧を生成する。この実施例では、分圧器１２０は１２８個のグレースケール電圧Ｖ０〜Ｖ６３およびＶ６３’〜Ｖ０’を生成する。分圧器１２０は抵抗器１２２を有するレジスタラダーを備え、その抵抗値を選択してピクセルデータ１０２とグレースケール電圧との間の所定のマッピングを作製する。いくつかの実施例では、この所定のマッピングは液晶セルの非線形応答を相殺して、ディスプレイ１０に示されるイメージが、看者に感知されるときに、正確なグレースケールを有するようにする。
【００３０】
スイッチ１１０をオンにする（リセット信号１４８が高である）と、グレースケール電圧Ｖ０〜Ｖ６３およびＶ６３’〜Ｖ０’はＶγ１〜Ｖγ１０の範囲内で１２８個の別個の値を持つことになる。これにより、データドライバ１８がピクセル回路を１２８個の別個のグレースケール電圧で駆動することが可能になる。これら１２８個のグレースケール電圧は６４個の正の極性のグレースケール電圧と６４個の負の極性のグレースケール電圧を含み、ディスプレイ１０がグレースケールの６４個の別個のレベルを有するイメージを示すことが可能になる。ディスプレイに示すことができるグレースケールレベルの数は別個のグレースケール電圧の個数の半分であるが、その理由は液晶セルにグレースケール電圧Ｖｃｏｍ＋ΔＶおよびＶｃｏｍ−ΔＶを印加すると同じグレースケールレベルが生じるからである（図２参照）。抵抗器１２２の抵抗値は、ピクセル回路１４にＶ０を印加するとピクセル回路１４にＶ０’を印加したのと同じ輝度が得られるように、選定される。同様に、Ｖ１またはＶ１’をピクセル回路１４に印加すると同じ輝度が得られる。
【００３１】
スイッチ１１０をオフにする（リセット信号１４８が低である）と、ガンマ回路はすべてＶｒｅｆに等しい共通の値を有するので、グレースケール電圧Ｖ０〜Ｖ１２７もすべてＶｒｅｆに等しい共通の値を有する。ピクセルデータの値には無関係に、データドライバ１８はピクセル回路１４を共通のグレースケール電圧、すなわちＶｒｅｆを用いて駆動するので、ディスプレイ１０は共通のグレースケールレベルを有するイメージを示す。この実施例では、Ｖｒｅｆの値は、Ｖｒｅｆをキャパシタ２２の第１のノード２１に印加すると液晶セルの透過率がゼロ（またはゼロに近く）なるように、選定される。従って、スイッチ１１０をオフにすると、ディスプレイ１０は均一な黒イメージを示す。
【００３２】
図６は、デジタルピクセルデータ１０２とアナロググレースケール電圧１０４の関係を示す図表１３０である。この実施例では、ピクセルデータ１０２は６−ビット二値データであり、デジタルピクセルデータ００Ｈ、０１Ｈ、０２Ｈはグレースケール電圧Ｖ０、Ｖ１およびＶ２にそれぞれ対応する。いくつかの実施例では、交互極性のグレースケール電圧を用いてピクセルを駆動して液晶セルにかかるストレスを低減している。従って、例えば、ピクセルデータが００Ｈであるとすると、データドライバ１６はデータ線２８をＶ０とＶ１２７を交互に用いて駆動することになる。他の実施例としては、ピクセルデータが０５Ｈであるとすると、データドライバ１６はデータ線２８をＶ５およびＶ１２２を交互に用いて駆動する。
【００３３】
図７を参照すると、いくつかの実施例では、ガンマ回路１７０は、スイッチ制御信号発生器１７２により制御される、スイッチＡ  １７４、スイッチＢ  １７５、スイッチＣ  １７６およびスイッチＤ  １７８のような、１つより多いスイッチを備えていてもよい。電圧レギュレータ１６０は電力供給電圧ＶＡＡを受取り、ノード１４０に電圧Ｖｒｅｆを生成する。スイッチＡ  １７４はノード１４０と第１のレジスタラダー１４２の間に接続される。スイッチＢ  １７５は第１のレジスタラダー１４２とノード１４６の間に接続され、ノード１４６は電圧Ｖｂを受け取る。スイッチＣ  １７６は第１のレジスタラダー１４２と第２のレジスタラダー１４４の間に接続される。スイッチＤ  １７８は第２のレジスタラダー１４４と接地電圧に接続されたノード１６２の間に接続される。
【００３４】
スイッチＡ、ＣおよびＤをオンにすると、ノード１４０からスイッチＡ、第１のレジスタラダー１４２、スイッチＣおよび第２のレジスタラダー１４４を介して接地までの電気経路が確立される。第１のレジスタラダー１４２はノード１４６から切断される。第１および第２のレジスタラダー１４２および１４４はＶｒｅｆと接地の間の電圧差を分圧し、第１のレジスタラダー１４２が５つの別個のガンマ電圧：Ｖγ１〜Ｖγ５を生成し、第２のレジスタラダー１４４が５個の別個のガンマ電圧：Ｖγ６〜Ｖγ１０を生成するようにする。ここで、ガンマ電圧の範囲はＶｒｅｆと第１および第２のレジスタラダー１４２および１４４における抵抗値によって決まる。
【００３５】
１０個の別個のガンマ電圧Ｖγ１〜Ｖγ１０は、デジタル−アナログコンバータ１００の分圧器１２０によりさらに分圧されると、１２８個の別個のグレースケール電圧を生成する。これらのグレースケール電圧を用いてピクセル回路１４を駆動して６４個の別個のグレースケールレベルを表示することが可能である。
【００３６】
同様に、スイッチＢ、ＣおよびＤをオンにし、スイッチＡをオフにすると、電気経路がノード１４６から接地に確立される。第１のレジスタラダー１４２はノード１４０から切断される。第１および第２のレジスタラダー１４２および１４４はＶｂと接地の間の電圧差を分圧し、第１及び第２のレジスタラダー１４２および１４４が１０個の別個のガンマ電圧：Ｖγ１〜Ｖγ１０を生成するようにする。ここで、ガンマ電圧の範囲はＶｂによって決まる。１０個の別個のガンマ電圧Ｖγ１〜Ｖγ１０は、デジタル−アナログコンバータ１００の分圧器１２０によりさらに分圧されると、１２８個の別個のグレースケール電圧を生成する。これらのグレースケール電圧を用いて６４個の別個のグレースケールレベルを表示することが可能である。
【００３７】
スイッチＡまたはスイッチＢを選択的にオンにすることにより、２つのガンマプロフィールを得ることができる。例えば、これにより、ユーザーはデジタルピクセルデータとピクセルの輝度の間の異なるマッピングを選択することが可能になる。
【００３８】
スイッチＢおよびＤをオフにし、スイッチＡおよびＣをオンにすると、第１および第２のレジスタラダー１４２および１４４はＶｒｅｆにフロートして、全てのガンマ電圧Ｖγ１〜Ｖγ１０がＶｒｅｆに等しくなる。グレースケール電圧Ｖ０〜Ｖ１２７はＶγ１〜Ｖγ１０から導かれるので、Ｖ０〜Ｖ１２７はすべてＶｒｅｆに等しくなる。この場合、ピクセルデータ１０２の値とは無関係に、データドライバ１８はＶｒｅｆをグレースケール電圧として用いてピクセル回路１４を駆動し、ディスプレイ１０が均一な黒イメージを有するイメージを示すようにする。
【００３９】
同様に、スイッチＡおよびＤをオフにし、スイッチＢおよびＣをオンにすると、ガンマ電圧Ｖγ１〜Ｖγ１０はすべてＶｂに等しくなる。いくつかの実施例では、Ｖｂは、Ｖｂをキャパシタ２２の第１のノード２１に印加すると液晶セルの透過率がゼロ（またはゼロに近く）なるように、選定される。従って、スイッチＡおよびＤをオフにし、スイッチＢおよびＣをオンにすると、ピクセルデータ１０２の値とは無関係に、データドライバ１８はＶｂをグレースケール電圧として用いてピクセル回路１４を駆動し、ディスプレイ１０が均一な黒イメージを有するイメージを示すようにする。
【００４０】
スイッチＡおよびＢをオフにし、スイッチＣおよびＤをオンにすると、第１および第２のレジスタラダー１４２および１４４は接地にフロートし、ガンマ電圧Ｖγ１〜Ｖγ１０は、すべて接地電圧に等しくなる。その結果、グレースケール電圧はすべて接地電圧に等しくなる。この場合、ピクセルデータ１０２の値とは無関係に、データドライバ１８は接地電圧をグレースケール電圧として用いてピクセル回路１４を駆動し、ディスプレイ１０が均一な黒イメージを有するイメージを示すようにする。
【００４１】
スイッチＢおよびＣをオフにし、スイッチＡおよびＤをオンにすると、第１のレジスタラダー１４２はＶｒｅｆにフロートし、第２のレジスタラダー１４４は接地にフロートする。ガンマ電圧Ｖγ１〜Ｖγ５はＶｒｅｆに等しくなる。グレースケール電圧Ｖ０〜Ｖ６３はＶｒｅｆに等しくなり、グレースケール電圧Ｖ６４〜Ｖ１２７は接地電圧に等しくなる。ピクセルデータ１０２の値とは無関係に、データドライバ１８はＶｒｅｆおよび接地電圧を交互に用いてピクセル回路１４を駆動し、ディスプレイ１０が均一な黒イメージを有するイメージを示すようにする。
【００４２】
同様に、スイッチＡおよびＣをオフにし、スイッチＢおよびＤをオンにすると、ガンマ電圧Ｖγ１〜Ｖγ５はＶｂに等しくなり、ガンマ電圧Ｖγ６〜Ｖγ１０は接地電圧に等しくなる。グレースケール電圧Ｖ０〜Ｖ６３はＶｂに等しく、グレースケール電圧Ｖ６４〜Ｖ１２７は接地電圧に等しくなる。電圧ＶｃｏｍはＶｂおよび接地電圧がＶｃｏｍに対して対称であるように調整される。ピクセルデータ１０２とは無関係に、データドライバ１８はＶｂおよび接地電圧を交互に用いてピクセル回路１４を駆動し、ディスプレイ１０が均一な黒イメージを有するイメージを示すようにする。
【００４３】
図８を参照すると、いくつかの実施例では、ガンマ電圧１８０は電圧Ｖｒｅｆ１、Ｖｒｅｆ２、．．．、およびＶｒｅｆｎから選択することができるスイッチ１８２を備え、スイッチ１８２を制御することにより異なるガンマプロフィールを選択することが可能である。スイッチ１８２もオフにしてレジスタラダー１４２および１４４を接地にフロートさせることが可能である。
【００４４】
ガンマ電圧１０６（図４）、１７０（図７）または１８０（図８）のスイッチまたは複数のスイッチを制御することにより、ディスプレイ１０がグレースケールのさまざまなグレースケールを示すか、または均一な黒イメージを決定することが可能である。いくつかの実施例では、これらスイッチはゲートドライバ１６がゲート線２６を駆動するとき、およびデータドライバ１８がデータ線２８を駆動するときに制御するタイミングコントローラにより制御される。
【００４５】
黒イメージを表示することはディスプレイ１０上の残存イメージを消すのに有用である。いくつかの実施例では、ビデオがディスプレイ１０に３０フレーム／秒で表示され、各フレームは３３．３ｍｓを占める。ゲートドライバ１６はゲート線２６を連続的に駆動してピクセル列を活性化してグレースケール電圧をデータドライバ１８から受け取るので、ディスプレイ１０の部分（例えば、アレイ１２の上部）は新しいフレームのイメージを示すが、ディスプレイ１０の残りの部分（例えば、アレイ１２の下部）は古いフレームのイメ−ジを示し、一方、ディスプレイ１０の残りの部分（例えば、アレイ１２の下部）は古いフレームのイメージを示す。速く移動する物体を含むビデオがディスプレイ１０に示されるときは、新旧フレームの部分を同時に示すと移動する物体の縁で触れが生じることがある。
【００４６】
このぶれ効果を低減する一つの方法は２つのイメージフレームの間に黒イメージを挿入することである。以下の説明は図３および４のガンマ回路を例として用いる。図９を参照すると、いくつかの実施例では、フレーム周期Ｔ＝３３．３ｍｓが２つの部分に分割される。フレーム周期１９０の（Ｔ＝０とｔ＝Ｔ／２の間のような）第１半分１９２の間、リセット信号１４８が引き上げられてスイッチ１１０をオンにし、ガンマ回路１０６に別個のガンマ電圧の全域を出力させ、ピクセル回路１４が場合によってグレースケールレベルの全域を出力することができるようにする。ゲートドライバ１６はディスプレイ１０のピクセルの各列を連続的に活性化するにつれて、ホスト装置から送られたピクセルデータ１０２に基づいて、ディスプレイ１０に正常イメージが示される。
【００４７】
フレーム周期１９０の（ｔ＝Ｔ／２およびｔ＝Ｔの間のような）第２半分１９４の間、リセット信号１４８が引き下げられてスイッチ１１０をオフにし、ガンマ回路１０６に共通の値Ｖｒｅｆを有するガンマ電圧を出力させる。ゲートドライバ１６がピクセルの各列を連続的に活性化するにつれて、ピクセルはＶｒｅｆに等しいグレースケール電圧を用いて駆動され、ピクセルの列を暗くさせる。ゲートドライバ１６はピクセルの第１の列から最後の列を連続的に駆動してディスプレイ１０に均一な黒イメージを表示させる。
【００４８】
各ピクセルは正常なグレースケールレベル（すなわち、正常イメージのピクセルのグレースケール）をフレーム周期１９０の第１半分１９２に対して表示しフレーム周期１９０の第２半分１９４に対して黒レベルを表示する。各新しいフレームはピクセルの列が連続的に駆動されて新しいフレームに従ってグレースケールレベルを表示する際に黒のバックグラウンドで開始する。従って、イメージ中の移動物体の縁のぶれを低減することが可能である。
【００４９】
ガンマ回路１０６、１７０または１８０のスイッチまたは複数のスイッチを制御することにより、電力供給がデータドライバになされた後の周期の間およびコントローラ３０が適切に初期化される前ににグレーストライプまたはバンドが生じるのを防止することができる。
【００５０】
図１０を参照すると、タイミング図２００はディスプレイ１０用電力供給電圧、デジタルピクセルデータ１０２を含むディスプレイインターフェース信号２０４、リセット信号１４８およびバックライトモジュール用電力供給電圧２０８の相対的タイミングを示す。時間ｔ０において、電力供給電圧２０２は予め設定された値Ｖｃｃに到達する。時間ｔ１において、低電圧差信号であることができ、デジタルピクセルデータ１０２を含む、ディスプレイインターフェース信号２０４は依然として低レベルである。ディスプレイインターフェース信号２０４は時間ｔ２までは活性化されない。これは、正しいピクセルデータ１０２が時間ｔ２を過ぎるまではデータドライバ１８に到達しないことを意味する。
【００５１】
ディスプレイをオンにした後、リセット信号１４８は時刻ｔ２の後の短い周期ｔ３まで低に保たれる。時間ｔ３前は、ガンマ電圧はすべてＶｒｅｆに等しく、グレースケール電圧はすべてＶｒｅｆに等しいので、ディスプレイ１０は黒イメージを示す。リセット信号１４８が時間ｔ３において高に引き上げられると、データドライバ１８は１０個の別個のガンマ電圧Ｖγ１〜Ｖγ１０から導かれる別個のグレースケール電圧を用いてピクセル回路１４を駆動し、ディスプレイ１０がグレースケールの別個のレベルを有するイメージを示すことを可能にする。時間ｔ３の直ぐ後で、時間ｔ４において、バックライトモジュール用電力供給２０８をオンにする。時間ｔ２、ｔ３および５４も同時に進行することができる。
【００５２】
図１０に示されるタイミングシーケンスを用いて、ディスプレイ１０は、電源投入されたときに、最初に均一な黒イメージを示し、次いでホスト装置から送られたピクセルデータに関連する正しいイメージに、ディスプレイ１０に垂直グレーストライプまたはバンドを表示することなく、移行する。
【００５３】
図１１はスイッチＤ  １７８のみを用いるガンマ回路１７０（図７）の例を示す。電圧レギュレータ１６０は入力電圧ＶAAを調節して調節された電圧Ｖｒｅｆを生成するツェナダイオード２１０を備える。スイッチ制御信号発生器１７２は電力供給電圧Ｖｃｃをピン２において受け取る遅延回路２１２を備え、予め設定された周期の後にピン１において電力供給電圧を出力する。ピン１における出力は離船と信号１４８として用いられる。
【００５４】
電力供給ＶAAがガンマ回路１７０になされると、リセット信号１４８は最初低であり、スイッチ１７８はオフになるので、グレースケール電圧Ｖγ１〜Ｖγ１０は、すべて最初はＶｒｅｆに等しい。遅延回路２１２により決定された遅延周期の後、リセット信号１４８は高になり、スイッチ１７８はオンになるので、第１および第２のレジスタラダー１４２および１４４は電圧Ｖｒｅｆを分圧して１０個の別個のガンマ電圧Ｖγ１〜Ｖγ１０を生成する。
【００５５】
さまざまな変形を上述の実施例に施すことができる。例えば、図７のガンマ回路１７０はスイッチＡ〜Ｄをすべて備えている必要はない。ガンマ回路１７０は、また、スイッチＡ〜Ｄの任意の組合せを備えていてもよい。追加のスイッチを使用することも可能である。黒イメージを正常フレームに上述の方法以外の方法、例えば、２００５年１０月２１日出願の米国特許出願第１１／２５６、６６１号明細書、発明の名称「液晶ディスプレイおよびその駆動方法」（引用により本明細書に導入される）に記載された方法を用いて挿入することができる。他のタイプのスイッチ、例えばｐ型ＭＯＳＦＥＴトランジスタを使用することも可能である。
【００５６】
ガンマ回路の数、グレースケール電圧の数、およびディスプレイに示すことが可能なグレースケールレベルの数は上述の数とは異なっていてもよい。データドライバは１つより多いデジタル−アナログコンバータを有していてもよい。ディスプレイ１０は、プラズマディスプレイ、有機発光ダイオード、電界発光ディスプレイまたは表面伝導電子発光ディスプレイのような、他のタイプのディスプレイであってもよい。追加の信号処理および制御回路をディスプレイに追加することも可能である。ガンマ回路のスイッチまたは複数のスイッチの遅延周期は固定されていても、プログラム可能であってもよい。分圧器の抵抗値およびガンマ電圧を分圧してグレースケール電圧を生成するためのレジスタラダーの構成は上述のものと異なっていてもよい。初期化の際に強制的に出現させられるイメージはすべて黒である必要はなく、他の所定のイメージであってもよい。
【００５７】
蓄積キャパシタＣST２２はかならずしもキャパシタＣLC２５と同じ参照電圧、Ｖｃｏｍ、に接続している必要はない。例えば、蓄積キャパシタＣST２２の一方のノードはＴＦＴ２０に接続されていてもよく、蓄積キャパシタＣST２２の他方のノードは他の走査線２６または接地電圧に接続されていてもよい。
【００５８】
図２は「正常白」ディスプレイの透過率の図であり、このディスプレイにおいては、液晶セルの電極に電圧が印加されないときに、光が液晶セルを透過することが可能である。「正常黒」ディスプレイも使用することが可能であり、このディスプレイでは液晶セルは、液晶セルの電極に電圧が印加されないときは光が液晶セルを透過するのを阻止する。
【００５９】
スイッチはユーザーの指令に応答して異なるガンマプロフィールを選択するように制御することが可能である。スイッチはまたディスプレイに示されたイメージまたはビデオの内容に基づいて自動的に制御されるようにすることも可能である。例えば、ディスプレイが主としてテキストまたは静止イメージを示すならば、一つのガンマプロフィールを選択肢、ディスプレイがビデオを示すときはもう一つのガンマプロフィールを選択することが可能である。また、スイッチはディスプレイの環境に基づいて自動的に制御されるようにすることも可能である。例えば、ディスプレイは周辺光を検知するセンサを備える。ディスプレイにイメージがユーザーにとって快適な輝度で明瞭に示されるように周辺光レベルに基づいて異なるガンマプロフィールを選択することが可能である。周辺光の色調に基づいて異なるガンマプロフィールを選択して、ディスプレイに示されたイメージがユーザーに正確な色で感知されるようにすることも可能である（例えば、日光、発熱等電球または蛍光灯からの周辺光はディスプレイでは同じイメージをユーザーに違って感じさせることがある）。
【００６０】
いくつかの実施例について上述のように説明したが、他の実装および応用例も添付の特許請求の範囲内に入る。
【図面の簡単な説明】
【００６１】
【図１】液晶ディスプレイの概略図である。
【図２】グラフである。
【図３】概略図である。
【図４】概略図である。
【図５】概略図である。
【図６】図表である。
【図７】概略図である。
【図８】概略図である。
【図９】タイミング図である。
【図１０】タイミング図である。
【図１１】概略図である。
【符号の説明】
【００６２】
１、２  ピン
１０  ディスプレイ
１４  ピクセル回路
１６  ゲートドライバ
１８  データドライバ
２０  ＴＦＴ
２１  第１のノード
２２、２５  キャパシタ
２６  ゲート線
２８  データ線
３０  コントローラ
９８  バッファ
１００  デジタル−アナログコンバータ
１０２  シリアルデジタルピクセルデータ
１０２  ピクセルデータ
１０２  デジタルピクセルデータ
１０３  パラレルデータ
１０４  アナロググレースケール電圧
１０６、１７０、１８０  ガンマ電圧
１０８  分圧器
１１０  スイッチ
１１２  ドレーン
１１４  ソース
１１６  ゲート
１２０  分圧器
１２２  抵抗器
１３０  一端
１４０  ノード
１４２  第１のレジスタラダー
１４４  第２のレジスタラダー
１４６、１６２  ノード
１４８  リセット信号
１６０  電圧レギュレータ
１７０  ガンマ回路
１７２  スイッチ制御信号発生器
１７４  スイッチＡ
１７５  スイッチＢ
１７６  スイッチＣ
１７８  スイッチＤ
１８２  スイッチ
１９０  フレーム周期
１９２  第１半分
１９４  第２半分
２００  タイミング図
２０２  電力供給電圧
２０４  ディスプレイインターフェース信号
２０８  バックライトモジュール用電力供給電圧
２１０  ツェナダイオード
２１２  遅延回路
Ｒ１〜Ｒ１２  抵抗器
Ｖ０〜Ｖ６３、Ｖ６３’〜Ｖ０’グレースケール電圧
ＶAA  電力供給電圧
Ｖｃｃ  電力供給電圧
Ｖγ１〜Ｖγ１０  ガンマ電圧
Ｖｒｅｆ  入力電圧
【図１】
2006154814.tif 000003
【図２】
2006154814.tif 000004
【図３】
2006154814.tif 000005
【図４】
2006154814.tif 000006
【図５】
2006154814.tif 000007
【図６】
2006154814.tif 000008
【図７】
2006154814.tif 000009
【図８】
2006154814.tif 000010
【図９】
2006154814.tif 000011
【図１０】
2006154814.tif 000012
【図１１】
2006154814.tif 000013
【外国語明細書】
2006154814000001.pdf